(57)【要約】      （修正有）【課題】骨壺の上下方向の長さが長いので、持運びや保存するのに不便であるので、不使用時には短く、使用時には長くして用いることができる骨壺を提供する。【解決手段】壺底２、壺蓋３及び壺底２と壺蓋３の間の壺筒部４が微生物分解可能な柔軟性のある部材からなり、且つ、前記壺筒部４が上下方向に伸縮自在な構造である骨壺１。【選択図】図１
0003178625.tif 000002
【実用新案登録請求の範囲】
【請求項１】
壺底、壺蓋及び壺底と壺蓋の間の壺筒部が微生物分解可能な柔軟性のある部材からなり、且つ、前記壺筒部が上下方向に伸縮自在な構造であることを特徴とする骨壺。
【請求項２】
前記微生物分解可能な柔軟性のある部材が、紙であることを特徴とする請求項１に記載の骨壺。
【請求項３】
前記紙が、和紙であることを特徴とする請求項２に記載の骨壺。
【請求項４】
前記壺筒部の上下方向に伸縮自在な構造が、蛇腹構造であることを特徴とする請求項１乃至請求項３のいずれかの骨壺。
【請求項５】
前記壺底の裏面に微生物分解可能な壺縛り紐を固着したことを特徴とする請求項１乃至４のいずれかに記載の骨壺。
【考案の詳細な説明】
【技術分野】
【０００１】
この考案は、微生物分解可能な部材からなり、且つ、不使用時には小さくなり使用時には大きくなる伸縮自在な骨壺に関する。
【背景技術】
【０００２】
周知のように、従来の骨壺は陶器製のものが多く用いられているが、腐敗しないので墓石の下に埋めた場合であってもそのまま残り、満杯になった場合には、それを取り出して破棄しなければ、次の新たな骨壺が入らなくなるという問題点があった。このような問題点を解決するために、最近に至り、骨壺を土中の微生物などによって分解される和紙等を使用したものが考案されている（例えば、特許文献１）。
【０００３】
しかしながら、この和紙等を用いた骨壺によると、従来の陶器製の骨壺と同じように、嵩張るので、不使用の状態において持運びの際に、不便であるという問題点があった。
【先行技術文献】
【特許文献】
【０００４】
【特許文献１】実用新案登録第３１６５１６５号公報
【考案の開示】
【考案が解決しようとする課題】
【０００５】
この考案は上記事情に鑑みてなされたものであって、不使用時にはコンパクトになり、使用時には従来の骨壺と同様に骨を収納するに十分な容積を有する大きさになる、軽くて見栄えの良い高級感を抱かせることが出来る骨壺を提供することを目的としてなされたものである。
【課題を解決するための手段】
【０００６】
この発明は上記事情を鑑みてなされたものであって、その手段とするところは、請求項１においては、壺底、壺蓋及び壺底と壺蓋の間の壺筒部が微生物分解可能な柔軟性のある部材からなり、且つ、前記壺筒部が上下方向に伸縮自在な構造であることにある。
【０００７】
請求項２においては、前記微生物分解可能な柔軟性のある部材が、紙であることにある。
【０００８】
請求項３においては、前記紙が、和紙であることにある。
【０００９】
請求項４においては、前記壺筒部の上下方向に伸縮自在な構造が、蛇腹構造であることにある。
【００１０】
請求項５においては、前記壺底の裏面に微生物分解可能な壺縛り紐を固着したことにある。
【考案の効果】
【００１１】
請求項１の考案によれば、壺底と壺蓋の間の壺筒部が微生物分解可能な柔軟性のある部材からなり、且つ、前記壺筒部が上下方向に伸縮自在な構造であるので、骨壺の搬送時や不使用時には上下方向に縮小しておけば嵩張らないので持ち運びが簡単で収納場所もスペースを取らないという利点がある。そして、骨壺の使用時は、上下方向に縮小している壺筒部を上下方向に引っ張って伸ばすことにより、お骨の量に応じた長さと内容積を得られる。又、使用材料も微生物分解可能な柔軟性のあるものであるから軽量である。更に、壺筒部の表面は、引張って伸びていても上下方向全周囲に多少の凹凸の皺が残っているので表面積が多くなり、集めて中に入れたお骨に熱が残っていても冷めやすい。そして、墓石下の格納場所に収納しておくと年月と共に土中の微生物によって分解して消滅して容積を取らないので、後始末も不要である。
【００１２】
請求項２の考案によれば、微生物分解可能な柔軟性のある部材として紙を用いるので、軽量化を図れる。又、安価である。更に、その表面に式典に見合った宗教的な文字や図柄などのデザインを印刷することが容易である。
【００１３】
請求項３の考案によれば、紙として和紙を用いるので、厳粛で且つ和紙の表面の肌触りが暖かさを醸し出すことができ、高級感を出すことができる。
【００１４】
請求項４の考案によれば、前記壺筒部の上下方向に伸縮自在な構造が、蛇腹構造であるので、折り畳み易く、嵩張らない。
【００１５】
請求項５の考案によれば、前記壺底の裏面に微生物分解可能な壺縛り紐を固着したので、お骨を入れて壺蓋をしてからこの骨壺を縛る時に作業が簡単となる。この時、紐を予め壺底の裏面に十字に交差して固着しておくと、壺蓋の上方へ壺筒部の外周表面を伝って上り真上の壺蓋３の中央部で見栄え良く結ぶことができる。
【図面の簡単な説明】
【００１６】
【図１】この考案の骨壺の実施形態の全体斜視図
【図２】図１の骨壺を縮めた状態の全体斜視図
【図３】図１の左上方の伸長時の部分断面拡大図
【図４】図１の左上方の縮小時の部分断面拡大図
【図５】図１の骨壺を紐で結んだ状態の全体斜視図
【図６】図５の骨壺を骨袋で包んだ状態の一部透視説明図
【図７】骨箱の立ち上げた状態の斜視説明図
【図８】骨箱の折り畳んだ状態の斜視図
【図９】図６の骨袋で包んだ骨壺を骨箱に収納した状態の一部透視説明図
【図１０】図９の状態の骨壺の入った骨箱を風呂敷で包んだ状態の斜視図
【図１１】図１のＡ−Ａ線断面図
【図１２】この考案の骨壺の他の実施形態の全体斜視図
【図１３】図１２の骨壺を縮めた状態の全体斜視図
【考案を実施するための形態】
【００１７】
この考案を実施するための実施形態について以下図を参照しつつ説明する。この考案の骨壺は、図１乃至５において示すように、壷底２、壷蓋３、及び壷底３とこれら壷底２と壷蓋３の間の壷筒部４を主構成要素とする。これらの主構成要素は、微生物分解可能な柔軟性のある部材からなる薄いシート状又は板状の部材であり、且つ、前記壺筒部４が上下方向に伸縮自在な構造である。具体的には、生分解性プラスチックや植物性材料からなる紙、骨材となる竹、材木、或いは天然繊維などである。これらは、土中の微生物により時間の経過によって分解されてその体積を消失し、墓石の下の納骨室に収納した場合でも骨のみが残り、スペースを有効に活用でき、又、取出す手数を省くことができる。
【００１８】
前記壷底２及び壷蓋３は、薄板状の部材であり自身で定型性を維持できる程度の肉厚を有している。これによって、この実施形態においては、骨壺１の上下が円形の形状を維持している。又、壷筒部４の上方には、壷蓋３を嵌め合うことが出来るようにするために自身で定型を維持できる開口小円筒５が必要に応じて設けられている。
【００１９】
前記壺筒部４は、上下方向に伸縮自在な構造になっている。この構造は、例えば、薄い柔軟性のあるシート状の部材を巻いてその両端を糊付けして長円筒形状に作り、この下端を自身で定型性を有している円盤の壷底２に固定し、その上端を自身で定型性を有している開口小円筒５に固定し、この開口小円筒５に壷蓋３を嵌めることが出来るようにしたものである。このような長円筒形状の壺筒部４であれば、不使用時には、シート状であるために自重でその円筒形状を維持できず萎れて畳まれる場合もあるし、もし、縦方向に長円筒形状を僅かでも維持している場合には、上下方向から中心方向に圧をかけて圧縮する。これによって骨壷１の上下方向の高さは畳まれた材料の厚さと開口小円筒５を塞いでいる壷蓋３の高さだけとなるので、持ち運びし易く又保管にスペースを取ることがない。そして、使用時には、壷蓋３と共に開口小円筒部５を持ち上げて壺筒部４を上下方向に必要なだけ伸ばして、その収納容積を増し、開口小円筒部５からお骨を投入し、その後に壷蓋３をすればよい。
【００２０】
上記の構造の場合には、壺筒部４がシート状の柔らかい材質のみからなる長円筒形状であるために、不使用時における折り畳み時とお骨の収納時の双方において定型を維持でき難いので、図３、図４に示すように、見栄えを良くするために蛇腹状あるいはアコーディオン状の定型を維持できるようにするために、リング状の骨材６を上下方向に等間隔で入れることが望ましい。この骨材６は、壷筒部４と同じ材料であっても、他の材料であっても良い。たとえば、壷筒部４に紙を用いた場合には、骨材６としては、この紙の原料を細棒状に固めて形成したものをリング状にして、等間隔で上下方向に並べてその外周囲に薄い紙を巻いて作ったものであっても良い。あるいは、骨材６として竹や木の自然植物を用いても良い。これらは、微生物の作用により紙と同様に年月の経過により消失するからである。外周囲に巻く紙や壺蓋３、壺底２には、宗教的な言葉や図案などを必要に応じて印刷しておいても良い。又、戒名や日付などを毛筆で書いておいても良いし、故人を偲ぶために故人の写真や似顔絵を貼っても良い。
【００２１】
また、上記とは逆に、壺筒部４全体に厚紙を使用し、骨材６に代えて前記骨材６を使用した部分の厚紙を肉薄としても良い。この場合には、上下方向から中心方向に挟むように力を加えると肉薄の部分を境にして折れ曲がって縮まることとなり、同じ効果を得ることができる。また、使用時には引っ張ることによって上下方向へ伸びて収納体積を増大できる。
【００２２】
更にまた、蛇腹状あるいはアコーディオン状の骨筒部４を作成するには、円筒状に形成した薄板もしくはシート状の紙等の内部に、外円周面に凹凸のリングを形成した円筒状の内型枠を入れ、紙等の外部からその内型枠と凹凸形状が逆の断面が半円形の２つの外型枠で押圧してから外型枠を外した後に、内側の内型枠を引き出して、形成するようにしても良い。この場合には、内型枠を引き出す際に凹部に嵌った紙は伸びて抜け出すために引っ掛かることなく引き出すことが出来る。この骨筒部４の製作方法は上記したものに特に限定されるものではない。
【００２３】
又、図１、図２に示すように、壺底２の下面に適度な長さの縛り紐７を十字にして固定しておけば、お骨の入った骨壺１を縛る場合に便利である。
【００２４】
上記のような骨壺１を使用する際には、折畳んだ状態の骨壺１を上下方向に伸ばして壺蓋３を開けて、開口小円筒部５からお骨を入れ、骨蓋３をするだけで良い。壺筒部４は伸縮自在の構造であるので、外周囲には皺や凹凸が出来ており、お骨に熱を有している場合でも素手で持っても適度に熱が凹凸の隙間から逃げるので大丈夫である。そして、図５に示すように、縛り紐７で壺蓋３が開かないように上方で十字に結ぶ。
【００２５】
そして更に、図６に示すように縛り紐７で縛った骨壺１を壷袋８の中に入れてから、図７、図８に示す壺箱９の中に収納し、それを更に風呂敷１０で包んだ状態として自宅あるいは菩提寺へ持ち帰る。
【００２６】
以上において使用する縛り紐７、壷袋８、壺箱９及び風呂敷１０も全て骨壺１と同じ微生物分解可能な柔軟性のある部材、例えば和紙を使用し、雰囲気に見合った色や印刷をすると厳粛な雰囲気を醸し出すことが出来る。又、壷箱９は嵩張るので、持ち運びや保管に不便なことから、使用時には図７に示すように通常の大きさになり、不使用時には図８に示すように、折り畳み出来る構造とすることが出来るので便利である。この場合、箱体を構成する周囲の４面には、対角線に沿って折れ線１１を形成しておくことにより、容易に平たく折り曲げ出来る。そして、折り曲げて嵩ばった厚みを覆うように蓋部材１２を被せておけば、壷箱９の底面との間に上手く収まり、保管及び持ち運びに便利となる。
【００２７】
以上の説明においては、壷筒部４の形状として、円筒形状の例について説明したが、図
１２、図１３に示すように、提灯のように中心部が上下端部より膨れている形状のもの、或いは、円筒形以外の形状であってもよい。
【産業上の利用可能性】
【００２８】
この考案の骨壷は、日本古来の一般的な葬儀で使用出来るので、多くの需要が見込まれる。
【符号の説明】
【００２９】
１    骨壷
２    壷底
３    壷蓋
４    壷筒部
５    開口小円筒部
６    骨材
７    縛り紐
８    壷袋
９    壷箱
１０  風呂敷
１１  折れ線
１２  蓋部材
【図１】
0003178625.tif 000003
【図２】
0003178625.tif 000004
【図３】
0003178625.tif 000005
【図４】
0003178625.tif 000006
【図５】
0003178625.tif 000007
【図６】
0003178625.tif 000008
【図７】
0003178625.tif 000009
【図８】
0003178625.tif 000010
【図９】
0003178625.tif 000011
【図１０】
0003178625.tif 000012
【図１１】
0003178625.tif 000013
【図１２】
0003178625.tif 000014
【図１３】
0003178625.tif 000015